(57)【要約】      （修正有）【課題】山の山肌、法面や段差などにおいて簡便に設置することができるとともに、流れ落ちてきた石や土砂を堰き止めて漏れ落ちないようにすることができる土留構造体を提供する。【解決手段】一端が山肌に埋設される柱本体部１と、柱本体部１の他端側に立設され一端が山肌に埋設される細長い支持部２と、複数の支持部２の上面に渡されて固設された細長い横架材３と、横架材３の上面に載置された板状部材４と、を備え、隣り合う複数の支持部２が上面視において横架材３の長手方向に対し互いに傾いていることを特徴とする土留構造体などにより解決した。【選択図】図１
2020165149.tif 000002
【特許請求の範囲】
【請求項１】
一端が山肌に埋設される柱本体部と、
前記柱本体部の他端側に立設され一端が山肌に埋設される細長い支持部と、
複数の前記支持部の上面に渡されて固設された細長い横架材と、
前記横架材の上面に載置された板状部材と、
を備え、
隣り合う複数の前記支持部が上面視において横架材の長手方向に対し互いに傾いていることを特徴とする土留構造体。
【請求項２】
隣接する２本の前記柱本体部を固定する固定部材を備えることを特徴とする請求項１に記載の土留構造体。
【請求項３】
隣り合う複数の前記支持部が上面視において５０〜７０度の角度を形成していることを特徴とする請求項１又は請求項２に記載の土留構造体。
【請求項４】
複数の前記支持部が上面視においてジグザグ形状を形成することを特徴とする請求項１から請求項３のいずれかに記載の土留構造体。
【請求項５】
前記板状部材が木製であることを特徴とする請求項１から請求項４のいずれかに記載の土留構造体。
【発明の詳細な説明】
【技術分野】
【０００１】
本発明は、山の斜面、法面や段差などの山肌において土砂崩れによって土砂が下方に流れ落ちることを防止するために設置される構造物に関する。
【背景技術】
【０００２】
従来、山の斜面、法面や段差などの山肌において落石や土砂崩れによって石や土砂が下方に流れ落ちることを防止するために種々の構造物が設置されている。
【０００３】
例えば、特許文献１において、細長い板状の基礎コンクリートに所定の間隔で立設された複数本の支柱２と、それらの支柱２を支える斜材３や補強材５と、それらの支柱２を渡して設けられ落石などを受け止める防護ネット６などを備えた防護柵が開示されている。なお、本段落における符号は特許文献１における符号である。
【０００４】
また、図５において、山肌に沿って所定間隔で平行に複数配設されたＬ字状の柱Ａが、その両端を山肌に埋設されるとともに、それらの柱Ａの短辺の上面に架設材Ｂが渡されて一体化されており、その架設材Ｂの上面に土砂を受け止める板部材Ｃが配置されている土留が示されており、この土留が実際に使用されている。
【先行技術文献】
【特許文献】
【０００５】
【特許文献１】特開２００２−２９４６３５号公報
【発明の概要】
【発明が解決しようとする課題】
【０００６】
しかしながら、特許文献１に開示された防護柵では、石や土砂が山肌を下るときの運動エネルギーを防護ネット６及び支柱２で真正面から受け止める構造であるために、斜材３や補強材５、さらには支柱２の上端から山肌に向けて控えロープ７を山肌に埋設したアンカー８に張る必要があるなど部品点数が増えて設置にするために人手と時間を要するという課題があった。なお、本段落における符号は特許文献１における符号である。
【０００７】
また、図５に示された土留では、石や土砂が山肌から流れ落ちたときに、柱Ａの上面に渡された架設材Ｂに載置された板部材Ｃがそれらを受けとめるため、土留に加わる力は柱Ａを山肌に埋設する方向に加わるため、土留の部品点数を少なくすることができ、また組みあがった土留を山肌に埋設し板部材Ｃを載置するだけで済むため、従来の方法に比べて短時間に設置することができるという利点がある。しかしながら、複数のＬ字状の柱Ａが山肌に沿って平行に配設されているために、石や土砂が山肌から流れ落ちたときにそれらを支える一本の柱Ａに加わる力が大きくなることから、その柱Ａが山肌に深く圧入されることとなり他の柱Ａに比べて相対的に深く沈み込むため石や土砂が堆積している板部材Ｃが設置したときより傾いてしまい、石や土砂が板部材から漏れ落ちるという課題があった。
【０００８】
そこで、本発明では、山の斜面、法面や段差などの山肌において簡便に設置することができるとともに、流れ落ちてきた石や土砂を堰き止めて漏れ落ちないようにすることができる土留構造体を提供することを目的とする。
【課題を解決するための手段】
【０００９】
〔１〕すなわち、本発明は、一端が山肌に埋設される柱本体部（１）と、前記柱本体部（１）の他端側に立設され一端が山肌に埋設される細長い支持部（２）と、複数の前記支持部（２）の上面（２ａ）に渡されて固設された細長い横架材（３）と、前記横架材（３）の上面（３ａ）に載置された板状部材（４）と、を備え、隣り合う複数の前記支持部（２）が上面視において横架材（３）の長手方向に対し互いに傾いていることを特徴とする土留構造体である。
【００１０】
〔２〕そして、隣接する２本の前記柱本体部（１）を固定する固定部材（５）を備えることを特徴とする前記〔１〕に記載の土留構造体である。
【００１１】
〔３〕そして、隣り合う複数の前記支持部（２）が上面視において５０〜７０度の角度形成していることを特徴とする前記〔１〕又は前記〔２〕に記載の土留構造体である。
【００１２】
〔４〕そして、複数の前記支持部（２）が上面視においてジグザグ形状を形成することを特徴とする前記〔１〕から前記〔３〕のいずれかに記載の土留構造体である。
【００１３】
〔５〕そして、前記板状部材（２）が木製であることを特徴とする前記〔１〕から前記〔４〕のいずれかに記載の土留構造体である。
【発明の効果】
【００１４】
本発明の土留構造体により、山の斜面、法面や段差などの山肌において簡便に設置することができるとともに、流れ落ちてきた石や土砂を堰き止めて漏れ落ちないようにすることができる。
【図面の簡単な説明】
【００１５】
【図１】本発明の土留構造体の一の実施形態を示す斜視図である。
【図２】本発明の土留構造体の一の実施形態を示す分解斜視図である。
【図３】本発明の土留構造体の一の実施形態を示す平面図（上面視）である。
【図４】本発明の土留構造体の一の実施形態を示す側面図である。
【図５】従来の土留構造体を示す斜視図である。
【発明を実施するための形態】
【００１６】
以下、本発明に関する実施形態について詳しく説明する。なお、以下に説明する実施形態は、本考案を実施するに好ましい具体例であるから、技術的に種々の限定がなされているが、本考案は、以下の説明において特に考案を限定する旨が明記されていない限り、この形態に限定されるものではない。なお、範囲を表す「〜」の表現は、その上限と下限を含むものである。
【００１７】
本発明の土留構造体は、柱本体部１と、支持部２と、横架材３と、板状部材４などから形成され、山の斜面、法面や段差など山肌において設置されるものであり、土砂崩れによって上方から土砂や石が流れ落ちたときに板状部材４に堆積させることにより、柱本体部１及び支持部２のそれぞれの一端がそれより下方に流れ落ちることを防止することができる。
【００１８】
柱本体部１は、一端である下端が山肌に埋設され、本発明の土留構造体の土台の一部となる細長い形状の部材である。柱本体部１の他端側には、柱本体部１の長手方向とは交差する方向に延びた支持部２が、溶接又は固定金具などの固定手段によって固定されている。
【００１９】
柱本体部１の寸法は、４０００〜６０００ｍｍであることが好ましく、４５００〜５５００ｍｍであることがさらに好ましい。柱本体部１の寸法がこの範囲であると、土砂崩れによって上方から土砂や石が流れ落ちたときに、それらの重さで山肌に圧入されたとしても、一部は山肌から露出して、横架材３及び板状部材４を支持し続けることができる。
【００２０】
また、柱本体部１は、流れ落ちてきた土砂や石などを支える強度を有することができる観点から鋼材であることが好ましく、その中でも重量あたりの曲げ剛性や曲げ強度が優れていることからＨ形鋼、Ｉ形鋼、Ｔ形鋼、溝形鋼などの形鋼であることがさらに好ましい。
【００２１】
支持部２は、柱本体部１の他端側に立設され一端が山肌に埋設され、本発明の土留構造体の土台の一部となる細長い形状の部材である。支持部２は、上述したように、柱本体部１の長手方向とは交差する方向に立設するように延び、溶接又は固定金具などの固定手段によって固定されている。このように、支持部２は、柱本体部１と固設されることにより側面視でＬ字状を為して、本発明の土留構造体の土台としての役割を果たす。
【００２２】
支持部２の寸法は、１５００〜３５００ｍｍであることが好ましく、２０００〜３０００ｍｍであることがさらに好ましい。支持部２の寸法がこの範囲であると、図４に示すように、柱本体部１の寸法とも相まって、支持部２の上面２ａに渡された横架材３及び横架材３の上面３ａに載置された板状部材４が、山肌側に対して落ち込むように傾斜することから、土砂崩れによって上方から流れ落ちてきた土砂や石を山肌側に押し戻すように支えることができる。
【００２３】
また、支持部２は、柱本体部１と同様に、流れ落ちてきた土砂や石などを支える強度を有することができる観点から鋼材であることが好ましく、その中でも重量あたりの曲げ剛性や曲げ強度が優れていることからＨ形鋼、Ｉ形鋼、Ｔ形鋼、溝形鋼などの形鋼であることがさらに好ましい。
【００２４】
隣り合う２本の支持部２は、図３に示すように、横架材３の長手方向に対し互いに傾いている。このように、隣り合う２本の支持部２が上面視において互いに傾くことにより、山腹から土砂や石などが流れ落ちてきたときに、加わる負荷が２本の支持部２に分散されやすくなり、ひいては隣接する柱本体部１にも加わる負荷がより分散されることで、板状部材４が傾いて堆積している土砂や石が漏れ落ちることをより防ぐことができる。
【００２５】
隣り合う２本の支持部２は、図３に示すように、山肌に向かって開くように所定の角度αを形成しており、この角度αが、５０〜７０度であることが好ましい。このような角度にすると、山腹から土砂や石などが流れ落ちてきたときに、加わる負荷が２本の支持部２により分散されやすくなる。
【００２６】
また、図１や図３のように、２本の柱本体部１及び支持部２を１ユニットとして、複数のユニットを配置することができ、図３のように上面視において支持部２がＶ字状又はハの字状に連続してギザギザに屈曲したジグザグ形状を形成している。このように支持部２を上面視においてジグザグ形状に形成することで、傾斜面に沿って幅広く土砂や石などが流れ落ちてきたときに、加わる負荷を分散しながら複数の柱本体部１及び支持部２によって下方に流れ落ちることを防ぐことができる。
【００２７】
横架材３は、複数の支持部２の上面２ａに渡されて、それら支持部２に固設された細長い部材である。横架材３は、複数の支持部２と斜めに交差して、それら支持部２と溶接又は固定金具などの固定手段によって固定されている。このように、横架材３は、複数の支持部２に渡されて固設されることで、板状部材４を直接的に支える役割を果たす。なお、本実施形態において、横架材３は、２本が略平行に配設されているが、他の実施形態において３本以上を略平行に又は平行ではないが交差しないように配設することができる。
【００２８】
横架材３の寸法は、５０００〜６０００ｍｍであることが好ましく、５５００〜６５００ｍｍであることがさらに好ましい。横架材３の寸法がこの範囲であると、図１などに示すように、柱本体部１及び支持部２の寸法とも相まって、柱本体部１及び支持部２と含めてユニット化しやすく、作業現場へ運搬して作業現場での組立てが容易になり、あるいは事前に工場で組立てておけば作業現場に容易に運搬することができる。
【００２９】
また、横架材３は、柱本体部１や支持部２と同様に、流れ落ちてきた土砂や石などを支える強度を有することができる観点から鋼材であることが好ましく、その中でも重量あたりの曲げ剛性や曲げ強度が優れていることからＨ形鋼、Ｉ形鋼、Ｔ形鋼、溝形鋼などの形鋼であることがさらに好ましい。
【００３０】
板状部材４は、横架材３の上面３ａに載置された部材である。板状部材４は、山腹から流れ落ちてきた土砂や石などを直接受けとめて支える部材である。板状部材４は、横架材３の上面３ａに固定せずに載せておくこともできるし、又は溶接又は固定金具などの固定手段によって固定することもできる。また、板状部材４をより固定させるために、板状部材４の一端が山肌に埋設されるように配設されることが好ましい。
【００３１】
板状部材４の寸法は、横架材３の上面３ａに載置することができる限りにおいて種々の寸法とすることができる。本実施形態では、所定の寸法の細長い矩形状の板となっているが、他の実施形態において、横架材３の全体を覆うような本実施形態よりも大きい方形状、三角形や六角形などその他の多角形状などとすることもできる。
【００３２】
また、板状部材４は、柱本体部１や支持部２と同様に鋼材など金属製の部材とすることもできるし、木製とすることもできる。板状部材４が木製であると、金属製の部材とは異なり、山腹から土砂や石などが流れ落ちてきたときに、たわんだりしなったりしてそれらの落下の衝撃を緩和して、板状部材４から跳ね返りにくくなり、板状部材４から下方に流れ落ちることを防止することできるので、より好ましい。
【００３３】
固定部材５は、隣接する２本の柱本体部１を固定する部材である。固定部材５は、隣接する２本の柱本体部１と、それぞれ溶接又は固定金具などの固定手段によって固定されている。固定部材５によって、山腹から土砂や石などが流れ落ちてきて柱本体部１に負荷が加わったときに、隣接する柱本体部１にも加わる負荷をより分散させることで、板状部材４が傾いて堆積している土砂や石が漏れ落ちることをより防ぐことができる。また、固定部材５は、本実施形態において、図１及び図２などにおいて示すように、所定の角度で折れ曲がったＶ字状又は略ヘの字状の板部材であって２本の柱本体部１の一面の上部及び下部を部分的に覆うように２本の柱本体部１の上部側と下部側で固定金具によって固定されているが、他の実施形態において、帯状又は棒状の部材であって２本の柱本体部１の一面の全体を覆うように、又は２本の柱本体部１の上部同士、中部同士、下部同士の１か所を部分的に、若しくはそれらを組み合わせて複数個所を部分的につなぎとめるように固定することができる。
【００３４】
固定部材５は、山腹から土砂や石などが流れ落ちてきて柱本体部１に負荷が加わったときに、２本の柱本体部１を確実に繋ぎとめておく強度を有することができる観点から鋼材であることが好ましい。
【００３５】
補強部材６は、柱本体部１と支持部２が略直角など所定の角度で維持されるように補強する板状の部材である。本実施形態において、補強部材６は、三角形状を有しているが、柱本体部１と支持部２に当接する限りにおいて、直線形状の辺からなる部材、曲線形状の辺からなる部材、直線形状の辺と曲線形状の辺を組み合わせた部材とすることもできる。補強部材６は、柱本体部１及び支持部２を支える強度を有することができる観点から鋼材であることが好ましい。
【符号の説明】
【００３６】
１・・・柱本体部
２・・・支持部
２ａ・・・上面
３・・・横架材
３ａ・・・上面
４・・・板状部材
５・・・固定部材
６・・・補強部材
【図１】
2020165149.tif 000003
【図２】
2020165149.tif 000004
【図３】
2020165149.tif 000005
【図４】
2020165149.tif 000006
【図５】
2020165149.tif 000007
【手続補正書】
【提出日】令和2年7月27日(2020.7.27)
【手続補正１】
【補正対象書類名】特許請求の範囲
【補正対象項目名】全文
【補正方法】変更
【補正の内容】
【特許請求の範囲】
【請求項１】
一端が山肌に埋設される柱本体部と、
前記柱本体部の他端側に立設され一端が山肌に埋設される細長い支持部と、
複数の前記支持部の上面に渡されて固設された細長い横架材と、
前記横架材の上面に載置された板状部材と、
を備え、
隣り合う複数の前記支持部が上面視において５０〜７０度の角度を形成していることを特徴とする土留構造体。
【請求項２】
隣接する２本の前記柱本体部を固定する固定部材を備えることを特徴とする請求項１に記載の土留構造体。
【請求項３】
複数の前記支持部が上面視においてジグザグ形状を形成することを特徴とする請求項１又は請求項２に記載の土留構造体。
【請求項４】
前記板状部材が木製であることを特徴とする請求項１から請求項３のいずれかに記載の土留構造体。
【手続補正２】
【補正対象書類名】明細書
【補正対象項目名】０００９
【補正方法】変更
【補正の内容】
【０００９】
〔１〕すなわち、本発明は、一端が山肌に埋設される柱本体部（１）と、前記柱本体部（１）の他端側に立設され一端が山肌に埋設される細長い支持部（２）と、複数の前記支持部（２）の上面（２ａ）に渡されて固設された細長い横架材（３）と、前記横架材（３）の上面（３ａ）に載置された板状部材（４）と、を備え、隣り合う複数の前記支持部（２）が上面視において５０〜７０度の角度を形成していることを特徴とする土留構造体である。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
〔３〕そして、複数の前記支持部（２）が上面視においてジグザグ形状を形成することを特徴とする前記〔１〕又は前記〔２〕のいずれかに記載の土留構造体である。
【手続補正５】
【補正対象書類名】明細書
【補正対象項目名】００１３
【補正方法】変更
【補正の内容】
【００１３】
〔４〕そして、前記板状部材（２）が木製であることを特徴とする前記〔１〕から前記〔３〕のいずれかに記載の土留構造体である。